(57)【特許請求の範囲】
【請求項１】
ウエスト開口部及び一対のレッグ開口部と、着用者股間部に対応する股下部を有し、該ウエスト開口部から股下部に向かう方向である縦方向と、該縦方向と直交する方向である幅方向を有しており、股下部の肌対向面上に吸収性パッドを配して着用されるパンツ型のパッドホルダーであって、
前記縦方向に伸長性を有し、前記幅方向に伸縮性を有しており、
着用時に前身頃によって着用者の上前腸骨棘が覆われるようになされており、
前記ウエスト開口部の周縁部にはウエスト開口弾性部が形成されており、
前記縦方向の伸長性を抑制しうる一対の前身頃伸長抑制部が、前身頃下半部の幅方向中央側から前身頃上半部の左右両側部に亘ってそれぞれ延びており、該前身頃伸長抑制部は、それぞれの一部が、着用時に着用者の上前腸骨棘の上方に位置するように形成され、
前記縦方向に関して、前記伸長抑制部の前記ウエスト開口部に最も近い部分と前記ウエスト開口弾性部とが間隔を置いて配されており、
後身頃に、左右一対の後身頃中間伸長抑制部が、それぞれ、後身頃下半部からウエスト開口部に向かって延びるように形成されており、前記一対の後身頃中間伸長抑制部は、互いに交差しておらず、且つ前記ウエスト開口部に近づくに連れて相互間の間隔が漸増しており、後身頃下半部における最大値と後身頃上半部における最大値との比（後者／前者）が１．１〜１．８である、パッドホルダー。
【請求項２】
後身頃に、後身頃下半部の幅方向中央側から後身頃上半部の側部に向かって延びる左右一対の後身頃第１伸長抑制部と、後身頃下半部からウエスト開口部に向かって延びる左右一対の後身頃中間伸長抑制部とが形成されており、左右の同じ側の、後身頃第１伸長抑制部と後身頃中間伸長抑制部との間隔が、パッドホルダーの下方から上方に向かうに連れて漸増している、請求項１に記載のパッドホルダー。
【請求項３】
ウエスト開口部及び一対のレッグ開口部と、着用者股間部に対応する股下部を有し、該ウエスト開口部から股下部に向かう方向である縦方向と、該縦方向と直交する方向である幅方向を有しており、股下部の肌対向面上に吸収性パッドを配して着用されるパンツ型のパッドホルダーであって、
前記縦方向に伸長性を有し、前記幅方向に伸縮性を有しており、
着用時に前身頃によって着用者の上前腸骨棘が覆われるようになされており、
前記ウエスト開口部の周縁部にはウエスト開口弾性部が形成されており、
前記縦方向の伸長性を抑制しうる一対の前身頃伸長抑制部が、前身頃下半部の幅方向中央側から前身頃上半部の左右両側部に亘ってそれぞれ延びており、該前身頃伸長抑制部は、それぞれの一部が、着用時に着用者の上前腸骨棘の上方に位置するように形成され、
前記縦方向に関して、前記伸長抑制部の前記ウエスト開口部に最も近い部分と前記ウエスト開口弾性部とが間隔を置いて配されており、
後身頃に、後身頃下半部の幅方向中央側から後身頃上半部の側部に向かって延びる左右一対の後身頃第１伸長抑制部と、後身頃下半部からウエスト開口部に向かって延びる左右一対の後身頃中間伸長抑制部とが形成されており、左右の同じ側の、後身頃第１伸長抑制部と後身頃中間伸長抑制部との間隔が、パッドホルダーの下方から上方に向かうに連れて漸増している、パッドホルダー。
【請求項４】
前身頃における前記上前腸骨棘を覆われるようになされている部分が前記前身頃伸長抑制部より高伸長性である、請求項１〜３の何れか１項に記載のパッドホルダー。
【請求項５】
前記前身頃伸長抑制部は、前身頃下半部から前身頃上半部の側部にかけての該前身頃伸長抑制部の接線と、パッドホルダーの幅方向に延びる直線とのなす角度が、前記前身頃上半部の前記側部に近づくに従って漸次減少するように円弧状に形成されている、請求項１〜４の何れか１項に記載のパッドホルダー。
【請求項６】
前記縦方向の伸長性を抑制しうる一対の後身頃第１伸長抑制部が、後身頃下半部の幅方向中央側から後身頃上半部の左右両側部に亘ってそれぞれ延びており、前身頃伸長抑制部と後身頃第１伸長抑制部とが環状に連続している、請求項１〜５の何れか１項に記載のパッドホルダー。
【請求項７】
前記縦方向の伸長性を抑制しうる一対の後身頃第１伸長抑制部が、後身頃下半部の幅方向中央側から後身頃上半部の左右両側部に亘ってそれぞれ延びており、一対の該後身頃第１伸長抑制部は、それぞれ、骨盤の凹部と臀筋群の重なり部にできる窪み上を通るように形成されている、請求項１〜６の何れか１項に記載のパッドホルダー。
【請求項８】
前記前身頃伸長抑制部が、着用時に着用者の上前腸骨棘の上方に位置するようになされた部分と該上前腸骨棘を覆うようになされた部分とを有している請求項１〜３の何れか１項に記載のパッドホルダー。
【請求項９】
前記前身頃伸長抑制部は、前身頃の下半部から前身頃の上半部の側部に向かうに連れて幅が拡がるように形成されている、請求項８記載のパッドホルダー。
【請求項１０】
着用者の胴回りに配される部分全周に伸縮性シート同士の継目がない、請求項１〜９の何れか１項に記載のパッドホルダー。
【発明の詳細な説明】
【技術分野】
【０００１】
本発明は、吸収性パッドと併用されるパッドホルダーに関する。
【背景技術】
【０００２】
従来、パッドホルダーの股下部の肌対向面上に吸収性パッドを取り付けた状態で該パッドホルダーを着用し、吸収性パッドが液を吸収した後に、吸収性パッドのみを新品と交換する一方、パッドホルダーは再利用することが行われている。斯かるパッドホルダーは、吸収性パッドを着用者の股間部にフィットした状態に保持するものであり、パッドホルダーを吸収性パッドと組み合わせて使用することにより、ゴミの量やコストの削減を図ることができる。
【０００３】
従来のパッドホルダーとして、伸縮性シートから形成され、ウエスト開口部及び一対のレッグ開口部を有し、股下部の肌対向面上に吸収性パッドを配して着用されるパッドホルダーが知られている。特にボクサーブリーフ型のパッドホルダー、即ち、着用時においてレッグ開口部の開口周縁部が股下部より下方に位置するタイプのパッドホルダーが広く普及しているが、このようなボクサーブリーフ型のパッドホルダーにおいては、該パッドホルダーの股下部に取り付けられた吸収性パッドの外部へのはみ出しを防止する目的で、一対のレッグ開口部それぞれの開口周縁部にレッグ部弾性部材が配されて太腿ギャザーが形成されており、該太腿ギャザーが着用者の太腿部を締め付けるようになされている（例えば特許文献１参照）。
【０００４】
また、先に出願人は、レッグ開口部の開口周縁部に沿って形成されたギャザーと着用者のそけい部に沿って形成されたギャザーとを形成したパッドホルダーを提案した（特許文献２参照）。
【先行技術文献】
【特許文献】
【０００５】
【特許文献１】特開２００２−６６０号公報
【特許文献２】特開２００８−２８４０３８号公報
【発明の概要】
【発明が解決しようとする課題】
【０００６】
特許文献１に開示されるような従来のボクサーブリーフ型のパッドホルダーは、併用される吸収性パッドを着用者の股間部に安定的にフィットさせることが難しく、着用者の肌と吸収性パッドとの隙間を介して漏れが生じたり、着用者と吸収性パッドとの間に生じた隙間で吸収性パッドが折れ曲がり、その結果、漏れが生じる場合があった。
特許文献２開示のパッドホルダーによれば、吸収性パッドを、着用者の股間部に良好にフィットさせることができるが、着用者のそけい部をギャザーが押圧するため、装着感の点で改善の余地があった。
【０００７】
本発明は、併用される吸収性パッドを、着用者の股間部に安定的にフィットした状態に保持することが容易で、着脱性や装着感にも優れたパッドホルダーを提供することを目的とする。
【課題を解決するための手段】
【０００８】
本発明は、ウエスト開口部及び一対のレッグ開口部と、着用者股間部に対応する股下部を有し、該ウエスト開口部から股下部に向かう方向である縦方向と、該縦方向と直交する方向である幅方向を有しており、股下部の肌対向面上に吸収性パッドを配して着用されるパンツ型のパッドホルダーであって、前記縦方向に伸長性を有し、前記幅方向に伸縮性を有しており、着用時に前身頃によって着用者の上前腸骨棘が覆われるようになされており、前記ウエスト開口部の周縁部にはウエスト開口弾性部が形成されており、前記縦方向の伸長性を抑制しうる一対の前身頃伸長抑制部が、前身頃下半部の幅方向中央側から前身頃上半部の左右両側部に亘ってそれぞれ延びており、該前身頃伸長抑制部は、それぞれの一部が、着用時に着用者の上前腸骨棘の上方に位置するように形成され、前記縦方向に関して、前記前身頃伸長抑制部の前記ウエスト開口部に最も近い部分と前記ウエスト開口弾性部とが間隔を置いて配されているパッドホルダーを提供するものである。
【発明の効果】
【０００９】
本発明のパッドホルダーは、併用される吸収性パッドを、着用者の股間部に安定的にフィットした状態に保持することが容易で、着脱性や装着感にも優れている。特に、大人用のパッドホルダーとして優れている。
【図面の簡単な説明】
【００１０】
【図１】本発明のパッドホルダーの第１実施形態を、前身頃と後身頃の肌対向面同士を面接させて平面状とした状態（自然状態）を、前身頃側から見た正面図である。
【図２】図１に示すパッドホルダーの使用状態（着用状態）を前身頃側から見た図である。
【図３】図１に示すパッドホルダーを、前身頃と後身頃の肌対向面同士を面接させて平面状とした状態（自然状態）を、後身頃側から見た背面図である。
【図４】図１に示すパッドホルダーの使用状態（着用状態）を後身頃側から見た図である。
【図５】上前腸骨棘の位置を示す人体図である。
【図６】骨盤の凹部と臀筋群の重なり部にできる窪みの位置等を示す図である。
【図７】本発明のパッドホルダーの第２実施形態の使用状態（着用状態）を前身頃側から見た図である。
【図８】図７に示すパッドホルダーの使用状態（着用状態）を後身頃側から見た図である。
【図９】本発明のパッドホルダーの更に他の実施形態を示す図（図１相当図）である。
【発明を実施するための形態】
【００１１】
以下、本発明のパッドホルダーを、その好ましい実施形態に基づき図面を参照して説明する。
第１実施形態のパッドホルダー１は、図１（自然状態）に示すように、パンツ型の形態を有し、ウエスト開口部５及び一対のレッグ開口部６，６を有している。
また、パッドホルダー１は、パッドホルダー１の着用時に着用者（大人）の腹側に配される前身頃２と、パッドホルダー１の着用時に着用者の背側に配される後身頃３とを有している。
【００１２】
パッドホルダー１は、股下部４の肌対向面（パッドホルダー着用時に着用者の肌側に向けられる面）側に、図２及び４に示すように、吸収性パッド７が配された状態で着用される。股下部４は、着用時に着用者の股間部に配される部分である。吸収性パッド７は、一般に、液透過性の表面シート、液不透過性又は撥水性の裏面シート及びこれら両シート間に挟持固定された吸収性コアを備えている。吸収性パッド７は、前記裏面シート側の面に、パッドホルダー１に固定するための固定手段（粘着部等）を有するものでも有しないものであっても良い。
パッドホルダー１は、図１に示すように、パッドホルダーの縦方向に延びる縦中心線ＣＬに対して左右対称に形成されている。
【００１３】
ウエスト開口部５は、着用者のウエスト部分が挿通される部分であり、その開口周縁部には、ウエスト開口弾性部５１が環状に形成されている。また、一対のレッグ開口部６，６は、着用者の脚が挿通される部分であり、それぞれの開口周縁部には、レッグ開口弾性部６１が環状に形成されている。
ウエスト開口弾性部５１は、ウエスト開口部５の周方向に伸縮する。レッグ開口弾性部６１は、レッグ開口部６の周方向に伸縮する。
本実施形態におけるウエスト開口弾性部５１は、ウエスト開口部５の開口周縁部にウエスト部弾性部材を配することによって形成されている。また、本実施形態におけるレッグ開口弾性部６１は、レッグ開口部６の開口周縁部にレッグ部弾性部材を配することによって形成されている。ウエスト部弾性部材及びレッグ部弾性部材は、パッドホルダー１を構成する伸縮性シートに重ねた状態に取り付けても良いし、伸縮性シートの端縁に該端縁から延出するように取り付けても良い。
ウエスト部弾性部材及びレッグ部弾性部材としては、例えば、ポリウレタン繊維を含む伸縮性織布や不織布、合成ゴムシート、天然ゴムシート等が用いられる。レッグ開口弾性部６１とウエスト開口弾性部５１とで使用する弾性部材が同じでも良く、異なっていても良い。
ウエスト開口弾性部５１及びレッグ開口弾性部６１は、弾性部材を配する形態に代えて、パッドホルダー１を構成する伸縮性シートを折り返し、その端部をホルダー内面（又は外面）に固定することによって形成することもできる。
【００１４】
ウエスト開口弾性部５１の存在によって、ウエスト開口部５の開口周縁部は、パッドホルダー１の着用時に、その直ぐ下に存する伸縮性シートのみからなる環状部分に比して強く着用者を締め付けることができる。同様に、レッグ開口部６，６それぞれの開口周縁部は、各レッグ開口部６における該開口周縁部より直ぐ上に存する環状部分に比して強く着用者を締め付けることができる。
【００１５】
本発明のパッドホルダーは、縦方向に伸長性を有しており、本実施形態においてはパッドホルダーの縦方向に伸長性を有する伸縮性シートを含んで構成されている。伸縮性シートの伸縮性は、少なくともパッドホルダーの幅方向（パッドホルダーの縦方向に直交する方向，胴回り方向に沿う方向）に発現する。パッドホルダーの縦方向（ウエスト開口部から股下部に向かう方向）においては伸縮性を有する必要はなく、伸長性を発現すれば良い。しかし、縦方向の伸縮性（特に臀部〜背側腰部）を有することで、歩行や立ち座り等の動きによる臀部近傍の皮膚の伸びにホルダーが追従し易くなり、ずり落ちの発生を抑制し易くなるので好ましい。また、腹部（特に高齢者の多重腹）や臀部等の凹凸のある複雑形状に沿うことが容易となり、フィット性が良好となる点からも好ましい。
【００１６】
本実施形態のパッドホルダー１は、図２に示すように、着用時に前身頃２によって着用者の上前腸骨棘８，８が覆われるようになされている。なお、上前腸骨棘（じょうぜんちょうこつきょく）は、解剖学の用語であり、腸骨稜の前端に存する鈍円な突起（図５に符号８で示す部分）である。上前腸骨棘８は、体表の近くに存在し、着用者の左右に一対存在する。図２には、へその位置を符号１０で示してある。
【００１７】
パッドホルダー１の前身頃２には、図１に示すように、パッドホルダー１の縦方向の伸長性を抑制しうる左右一対の伸長抑制部（前身頃伸長抑制部）２１，２２が、それぞれ、前身頃下半部２Ｄの幅方向中央側から前身頃上半部２Ｕの側部に亘って帯状に形成されている。前身頃伸長抑制部は、パッドホルダーの前身頃に形成された、パッドホルダー縦方向の伸長性が抑制された部分である。前身頃下半部２Ｄとは、図１に示すように、前身頃２の股上長Ｌ２を２等分する直線Ｌ２１より下方に位置する部分であり、前身頃上半部２Ｕとは、同直線Ｌ２１より上方に位置する部分である。前身頃上半部２Ｕの側部は、前身頃上半部２Ｕに位置すると共に、パッドホルダー１の着用時に、左右一対の上前腸骨棘８，８それぞれの位置又はそれより幅方向外方に位置する部分である。
前身頃下半部２Ｄの幅方向中央側は、前身頃下半部２Ｄに位置すると共に、パッドホルダー１の着用時に、左右一対の上前腸骨棘８，８それぞれの位置より幅方向中央側（パットホルダーの縦方向中央線ＣＬ側）に位置する部分である。
前身頃伸長抑制部２１，２２の幅は特に制限されないが、例えば図示例のものの幅は０．５〜５ｃｍ程度である。
【００１８】
本発明のパッドホルダー１の縦方向に関しては、前身頃において、前身頃伸長抑制部２１，２２のウエスト開口部にもっとも近い部分（本実施形態では折曲線１ａ、１ａに到達した部分）が、ウエスト開口弾性部５１と間隔を置いて配されている。言い換えると、前身頃では、パッドホルダー縦方向に関してウエスト開口弾性部５１と前身頃伸長抑制部２１，２２との間には、着用者腹部に相当する部分において、前身頃伸長抑制部２１，２２よりも伸長性の高い領域が存在している。この構成により、特に姿勢変化時（前屈、立ち座り、等）の皮膚の伸縮にパッドホルダーが追随し、パッドホルダー着用中のずり落ちが抑制されるとともに、運動時や深呼吸時などの腹部が比較的大きく膨らむ状況であっても腹部の自由度が確保されて快適さが維持される。また、前身頃伸長抑制部２１，２２によるずり落ち抑制により、ウエスト開口弾性部５１によるウエスト部の締め付けを弱くしても、パッドホルダーのずり落ちを抑制することが可能となるので、ウエスト開口部周辺部分のめくれを防止しつつ、装着中の不快感や締め付け痕を低減することができる。
【００１９】
前身頃伸長抑制部２１，２２は、前身頃上半部２Ｕ側の端部２１ａ，２２ａが、図１に示すように、パッドホルダー１を、前身頃２と後身頃３の肌対向面同士を面接させて平面状の自然状態としたときにホルダーの側部に生じる折曲線１ａ，１ａに達していることが好ましい。前記端部２１ａ，２２ａは、それぞれ折曲線１ａ，１ａに達していなくても良いが、その場合、折曲線１ａ，１ａまでの最短距離が３０ｍｍ以下、特に１０ｍｍ以下であることが好ましい。また、前身頃伸長抑制部２１，２２は、前身頃下半部２Ｄ側の端部２１ｂ，２２ｂが、図１に示すように、一対のレッグ開口部６，６間の領域４１まで入り込んでいることが好ましく、前身頃２と後身頃３の肌対向面同士を面接させて平面状の自然状態としたときに股下部４に生じる折曲線１ｂに達していることがより好ましい。
パッドホルダーの幅方向における一対のレッグ開口部６，６間の距離Ｌ４（図１参照）は、パッドホルダー１および吸収性パッド７の着用者の股間部への密着性向上の観点から、３〜１５ｃｍであることが好ましく、６〜１２ｃｍであることがより好ましい。また、前身頃伸長抑制部２１，２２は、前身頃下半部２Ｄにおいて互いに交差しないことが好ましい。前身頃下半部２Ｄ及び後身頃下半部３Ｄの下端は、パッドホルダー１を、前身頃２と後身頃３の肌対向面同士を面接させて平面状の自然状態としたときに股下部４に生じる折曲線１ｂの位置である。
【００２０】
前身頃伸長抑制部及び後述する後身頃伸長抑制部は、パッドホルダーの縦方向における最大伸長率が、前身頃又は後身頃の胴回り部分における前身頃又は後身頃伸長抑制部以外の部分（特に前身頃又は後身頃伸長抑制部を挟んだ両側の少なくとも一方に位置する部分）よりも小さくなされている部分、または、パッドホルダーの縦方向における特定加重を加えたときの伸長率が、前身頃又は後身頃の胴回り部分における他の部分（特に前身頃又は後身頃伸長抑制部を挟んだ両側の少なくとも一方に位置する部分）よりも小さくなされている部分のことである。着脱性や装着感の観点からは前者であることが好ましい。最大伸長率とは、それ以上伸ばせない長さ（材破する直前の長さ）まで伸長したときの伸長率であり、最大伸長率は、下記式（１）で求められる。
最大伸長率（％）＝｛（伸長後の長さ−伸長前の長さ）／伸長前の長さ）｝×１００％・・・（１）
【００２１】
前身頃伸長抑制部２１（２２）の最大伸長率は、１８０％未満であることが好ましく、２０〜１５０％がより好ましく、４０〜１２０％が更に好ましい。
他方、前身頃伸長抑制部２１（２２）以外の高伸長性部分、すなわち前身頃伸長抑制部よりも相対的に伸長性が高い部分、例えば前身頃伸長抑制部２１（２２）を挟んでその両側に位置する部分のうち、少なくとも一方に位置する高伸長性部分の最大伸長率は、パッドホルダーの着脱容易性や装着感の点から、１２０％以上、特に１２５％以上、更には１５０％以上、殊更１８０％以上であることが好ましく、また、前身頃伸長抑制部２１（２２）の最大伸長率との差が、３０％以上、特に５０〜１５０％であることが好ましい。本実施形態では、高伸長性部分２ａ、２ｂ（２ａ，２ｃ）それぞれの最大伸長率が上記範囲となることが好ましい。
【００２２】
また、パッドホルダー１は、自然状態におけるパッドホルダー１の総面積（外面又は内面の総面積）の３５％以上、より好ましくは５０％以上、更に好ましくは６５％以上が、前身頃伸長抑制部２１（２２）よりも伸長性が高い部分、即ち、最大伸長率がより大きい部分となっていることが、パッドホルダーの着脱容易性や装着感の点から好ましい。前身頃伸長抑制部２１，２２の合計面積は、自然状態におけるパッドホルダー１の総面積の５％以上３０％未満、特に３％以上２０％未満、更には５％以上１５％未満であることが、装着感、着用操作時の引き上げ性、吸収性パッドの安定したホールド性の観点等から好ましい。なお、後述する後身頃第１伸長抑制部３１，３２についても同様である。
【００２３】
前身頃伸長抑制部２１（２２）の最大伸長率は、前身頃伸長抑制部２１（２２）を含む測定用サンプルを、パッドホルダーの縦方向（Ｙ方向）に伸長させて測定する。
他方、前身頃伸長抑制部２１（２２）以外の高伸長性部分の最大伸長率は、該高伸長性部分を含み、かつ前身頃伸長抑制部２１（２２）を含まない測定用サンプルをパッドホルダーの縦方向（Ｙ方向）に伸長させて測定する。
【００２４】
具体的には、測定対象のパッドホルダーから、自然状態において、パッドホルダーの縦方向に沿う方向（Ｙ方向）に１００ｍｍ、幅方向に沿う方向（Ｘ方向）に５０ｍｍの寸法の長方形形状で、かつ、測定用サンプルの長手方向中央に少なくとも６０ｍｍの範囲に亘って前身頃伸長抑制部２１（２２）が含まれるように切り出し、この切り出された長方形形状のものを測定用サンプルとする。なお、上記サンプルの調製では、６０ｍｍの範囲全長に亘り連続して前身頃伸長抑制部２１（２２）が配置していることを前提としているが、前身頃伸長抑制部２１（２２）がその一部で分断されて高伸長性部分を一部に含んでいる場合もこの範疇に含めるものとする。
この測定サンプルを、その長手方向（Ｙ方向）が引っ張り方向となるように、引張試験機のチャックに取り付ける。このとき、上下のチャックのいずれにおいても前身頃伸長抑制部２１（２２）が挟まれていることを確認する。チャック間距離は５０ｍｍ（チャック部は測定用サンプルの前後２５ｍｍの部分）とする。測定サンプルを３００ｍｍ／ｍｉｎで引っ張り、測定用サンプルの少なくとも一部が材破した時のチャック間距離を測定する。
ただし、１００Ｎ荷重後も測定用サンプルが材破しない場合は、１００Ｎ荷重時のチャック間距離を測定する。
測定対象のパッドホルダーから上記のようにサンプルが取り出せない場合は、適宜サンプル長さ、サンプル幅、チャック間距離、チャック幅、を変更し、両チャックに伸長抑制部が挟まれるようにする。
【００２５】
前身頃伸長抑制部２１（２２）以外の高伸長性部分の最大伸長率の測定方法は、上記に準じる。但し、測定用サンプルを切り出す際には、測定用サンプル中に前身頃伸長抑制部２１（２２）を含まないようにする。やむを得ず測定用サンプル中に前身頃伸長抑制部２１（２２）を含まざるを得ない場合は、上下のチャックのいずれにおいても前身頃伸長抑制部２１（２２）が挟まれないように調整する。
【００２６】
また、前身頃又は後身頃伸長抑制部が「パッドホルダーの縦方向における特定加重を加えたときの伸長率が、前身頃又は後身頃の胴回り部分における他の部分よりも小さくなされている」とは、通常の装着状態において排泄物がパッドに保持された状態を想定し、３Ｎ加重時の伸長率で対比したときに伸長率が小さいことを意味する。測定用サンプルの準備方法及び測定方法は、加重値以外については上記最大伸長率の測定方法に準じて行う。
【００２７】
本実施形態のパッドホルダー１は、前身頃伸長抑制部２１，２２が、上述した態様で形成されているため、吸液による吸収性パッド７の重量増加等により、パッドホルダー１の着用時に、パッドホルダー１を下方に引き下げる力が働いても、前身頃伸長抑制部２１，２２が、上前腸骨棘８，８に引っ掛かり、しかも、前身頃伸長抑制部２１，２２が、伸縮性シートからなる高伸長性部分の伸長に抗して、股下部４の下方への移動を抑制するため、吸収性パッド７やパッドホルダー１の下方へのずり落ちを効果的に防止することができる。吸収性パッド７の吸収容量が大きい場合、例えば、吸収容量（生理食塩水で測定）が２５０ｍＬ以上、あるいは３００ｍＬ以上の場合には、吸収性パッド７による引き下げ力が大きくなるが、そのような場合であっても、前身頃伸長抑制部２１，２２の作用により、吸収性パッド７を着用者の股間にフィットした状態に保持（ホールド）することができる。このような伸長抑制部が存在しない形態では、一般的にウエスト弾性部材によってずり落ち防止を図ることが必要で、その締め付け力を高くする等の工夫が必要であったが、それに伴う不都合を、本発明では緩和・解消することに役立つ。
【００２８】
また、前身頃伸長抑制部が前身頃下半部の幅方向中央部側から前身頃上半部の側部に亘って延びていることにより、前身頃伸長抑制部が吊上げ効果を発現し、全面伸縮の素材を使用しながら、引上げ時に製品股部近傍が大腿部に引っ掛かり十分引き上げられないという不具合を防止し、手直しすることなく製品全体を適正位置にまで引き上げることが容易になっている。引下げ時には、上前腸骨棘上に位置する前身頃伸長抑制部を、着用者あるいは介護者が上前腸骨棘上から外すことにより、前身頃伸長抑制部によるずり落ち抑制効果が解除され、容易に引き下げることができる。
吸収性パッド７やパッドホルダー１の下方へのずり落ちを効果的に防止するとともに、パッドホルダー１が呼吸等による腹囲変化に柔軟に対応するために、前身頃伸長抑制部２１，２２は、少なくとも前身頃上半部２Ｕにおいて互いに交差しないことが好ましい。
【００２９】
特に、本実施形態のパッドホルダー１は、図２に示すように、前身頃２における上前腸骨棘８，８を覆う部分が、前身頃伸長抑制部２１，２２より高伸長性の部分２ｂ，２ｃであり、前身頃伸長抑制部２１，２２と高伸長性の部分２ｂ，２ｃとの境界部付近が上前腸骨棘８，８が引っ掛かり易い。そのため、吸収性パッド７やパッドホルダー１の下方へのずり落ちをより効果的に防止することができる。特に、上前腸骨棘８，８を覆う部分が伸縮性であると、着用中に着用者の動きに追従しやすく、かつ、前身頃伸長抑制部２１，２２が引っ掛かる際に上前腸骨棘に当たる感触が柔らかくなるので好ましい。
【００３０】
しかも、本実施形態のパッドホルダー１は、上述した前身頃伸長抑制部２１，２２により、吸収性パッド７やパッドホルダー１の下方へのずり落ちを効果的に防止することができるため、着用者のそけい部に沿うように弾性部材を配して、パッドホルダーをそけい部に押しつける必要がない。そけい部を弾性部材で締め付けなくてすむことは、肌に与える刺激低減、良好な装着感の観点から好ましく、肌の弱い高齢者に特に好ましい。そけい部に弾性部材を配した場合には、該弾性部材は収縮して周長の短い安定した場所へ移動しようとし、前身頃伸長抑制部２１，２２を下方へ引張る作用を発現するため、ずり落ち防止の観点からもそけい部近傍に沿う弾性部材は配さないことが好ましい。
【００３１】
なお、本実施形態のパッドホルダー１においては、図２に示すように、パッドホルダー１の着用時に、一対のレッグ開口部６，６の開口周縁部は、股下部４より下方に位置している。一対のレッグ開口部６，６の開口周縁部は、着用者のそけい部に沿うライン（図示せず）よりも下方に位置することが、吸収性パッドの保持性及びホルダーから外部への露出防止の点から好ましい。また、可動量が大きく、個人間で周長差が大きいレッグ開口部６，６の開口周縁部には、幅方向の伸長性を抑制する伸長抑制部（幅方向伸長抑制部）が形成されていないことが好ましく、より好ましくは、レッグ開口部６，６の開口周縁端から内側３ｃｍ以内には幅方向伸長抑制部を形成しない。なお、レッグ開口部６，６の開口周縁端部及びその近傍には縦方向の伸長抑制部は存在しても良い。
【００３２】
本実施形態のパッドホルダー１における前身頃伸長抑制部２１，２２は、それぞれ、前身頃下半部２Ｄから前身頃上半部２Ｕの側部にかけての領域における接線Ｌ（一方のみ図示）と、パッドホルダーの幅方向に延びる直線（例えば前記直線Ｌ２１）とのなす角度α（図１参照）が、前身頃上半部２Ｕの前記側部に近づくに従って漸次減少するように円弧状に形成されている。斯かる構成により、前身頃伸長抑制部２１，２２のライン上の一点に集中的に加重や歪みが加わることが防止されるため、前身頃伸長抑制部２１，２２が着用者の体型に隙間なくフィットし、且つ上前腸骨棘８，８に一層引っ掛かり易い。そのため、装着感やずり落ち防止性に一層優れている。
【００３３】
本実施形態のパッドホルダー１は、図３及び図４に示すように、後身頃３にも、パッドホルダー１の縦方向の伸長性を抑制する伸長抑制部（後身頃伸長抑制部）３１，３２，３３，３４が形成されている。後身頃伸長抑制部は、パッドホルダーの後身頃に形成された、パッドホルダー縦方向の伸長性が抑制された部分である。
より具体的に説明すると、後身頃下半部３Ｄの幅方向中央側から後身頃上半部３Ｕの側部に向かって延びる左右一対の後身頃第１伸長抑制部３１，３２と、後身頃下半部３Ｄからウエスト開口部５に向かって延びる左右一対の後身頃中間伸長抑制部３３，３４とが形成されている。後身頃上半部３Ｕの側部は、図１又は図３に示す平面状の自然状態としたときに、前身頃の上前腸骨棘８，８を覆う部分と重なる位置又はそれより幅方向外方に位置する部分である。伸長抑制部３１，３２，３３，３４は、それら以外の高伸長性部分３ａ〜３ｅよりも最大伸長率が低くなされている。後身頃伸長抑制部３１〜３４の好ましい伸長性は、前身頃伸長抑制部２１，２２と同様である。
後身頃中間抑制部３３，３４の合計面積は、自然状態におけるパッドホルダー１の総面積の総面積の２％以上１５％未満、特に４％以上１０％未満であることが、装着感、着用操作時の引き上げ製、吸収性パッドの安定したホールド性の観点から好ましい。
【００３４】
後身頃第１伸長抑制部３１，３２は、後身頃上半部３Ｕ側の端部３１ａ，３２ａが、図３に示すように、パッドホルダー１を、前身頃２と後身頃３の肌対向面同士を面接させて平面状の自然状態としたときにホルダーの側部に生じる折曲線１ａ，１ａに達していることが好ましい。
後身頃中間伸長抑制部３３，３４は、ウエスト開口部５側の端部３３ａ，３４ａが、後身頃上半部３Ｕに存することが好ましい。ただし、該端部３３ａ，３４ａとウエスト開口部の開口周縁端との間の距離は３ｃｍ以上、特に５ｃｍ以上離れていることが好ましい。端部３３ａ，３４ａが、ウエスト開口弾性部５１の位置まで達している場合には、背側のパッドホルダーの縦方向（Ｙ方向）伸縮性が低下し、背側のずり落ちが懸念される。
【００３５】
後身頃伸長抑制部３１〜３４それぞれの後身頃下半部３Ｄ側の端部３１ｂ、３２ｂ、３３ｂ、３４ｂは、それぞれ、後身頃下半部３Ｄにおける一対のレッグ開口部６，６間の領域４１まで入り込んでいることが好ましく、それぞれ、前身頃２と後身頃３の肌対向面同士を面接させて平面状の自然状態としたときに股下部４に生じる折曲線１ｂに達していることがより好ましい。
【００３６】
本実施形態のパッドホルダー１において、前身頃２の前身頃伸長抑制部２１，２２と後身頃３の後身頃第１伸長抑制部３１，３２とは、着用者の股間部及び側部に配される部位で連接されており、全体として環状に連続している。これにより、環状に連続した伸長抑制部が、恥骨結合部と上前腸骨棘で位置固定されるため、ずり落ちが一層抑制される。恥骨結合部とは、骨盤の下方において左右両側に位置している恥骨が股下中央で結合している部分をいう。この効果は、着座姿勢等の後身頃側が前身頃側よりも引っ張られ易い状況において前身頃伸長抑制部２１，２２によるずり落ち抑制に有効である。
【００３７】
また、後身頃第１伸長抑制部３１，３２は、図４に示すように、それぞれ、骨盤の凹部と臀筋群の重なり部にできる窪み９上を通るように、好ましくは窪み９の中央部上を通るようにパッドホルダー１の略上下方向に延びて形成されている。図６（ａ）〜（ｃ）に、身体の内側から外側（皮膚表面側）に向かってこの順に重なって存在する、骨盤９１，中臀筋９２及び大臀筋９３を示し、図６（ｄ）に、骨盤９１の凹部と臀筋群（中臀筋９２及び大臀筋９３）の重なり部にできる窪み９の位置及び大体の大きさ示した。窪み９は、骨盤９１の凹部に、臀筋群（中臀筋９２及び大臀筋９３）が入り込むことによってできるものである。
この臀部の窪み９上、特にその中央部の位置を通るように後身頃第１伸長抑制部３１，３２を配置することにより、吸収性パッド７と肌との間に隙間が生じることを効果的に防止でき、防漏性が向上する。
【００３８】
他方、後身頃中間伸長抑制部３３，３４は、上述したように、後身頃下半部３Ｄからウエスト開口部５に向かって延びるように形成されている。また、一対の後身頃中間伸長抑制部３３，３４は、図３に示すように、互いに交差しておらず、且つウエスト開口部５に近づくに連れて相互間の間隔Ｗが漸増している。特に、前記間隔Ｗは、後身頃下半部３Ｄにおける最大値Ｗ１（図３参照）と後身頃上半部３Ｕにおける最大値Ｗ２（図３参照）との比（後者／前者）が１．１〜１．８であることが好ましく、１．３〜１．６であることがより好ましい。このように配することで、後身頃中間伸長抑制部３３，３４を、臀部の前記窪み９に確実にフィットさせることができ、吸収性パッド７と肌との間に隙間が生じることを一層確実に防止することができる。
【００３９】
また、パッドホルダー１の左右同じ側の、後身頃第１伸長抑制部と後身頃中間伸長抑制部との間隔Ｗ３（図３参照）、即ち、後身頃第１伸長抑制部３１と後身頃中間伸長抑制部３３との間隔及び後身頃第１伸長抑制部３２と後身頃中間伸長抑制部３４との間隔は、パッドホルダー１の下方から上方に向かうに連れて漸増している。これにより、後身頃第１伸長抑制部３１により吸収性パッド７の中央部分（例えば、内部に吸収性コアを有する部分）を抑える一方、後身頃中間伸長抑制部３４により、吸収性パッド７の両側部（例えば、吸収性コアの両側縁から延出するサイドフラップ部分等）を抑えることができ、防漏性が向上する。また、ウエスト開口部側に進むに従って、後身頃第１伸長抑制部と後身頃中間伸長抑制部との間隔Ｗ３が開いてくるため、前後が扇状に開いた瓢箪型のパッドでもしっかりと肌にフィットさせることができる。
【００４０】
第１実施形態のパッドホルダー１を形成する伸縮性シートとしては、編地、伸縮不織布等を用いることができるが、編地が好ましく、特に糸自体が伸縮性を有すると共に、伸縮性が発現し易い編み方で形成された編地を用いることが好ましい。第１実施形態のパッドホルダー１は、ウエスト開口部及び一対のレッグ開口部の開口周縁部を除く部分が、丸編機等により製造された伸縮性に富む編地から形成されており、伸長抑制部２１，２２，３１〜３４の部分は、その編地の網目を他の部分より密にすることで最大伸長率を低下させてある。伸長抑制部２１，２２，３１〜３４の他の形成方法としては、例えば、伸縮性に富むシートに、伸長性に劣る帯状のシートを縫合や融着等により接合する方法が挙げられる。
【００４１】
図７及び図８は、本発明の第２実施形態のパッドホルダー１Ａを示す図である。第２実施形態については、第１実施形態との相違する点について説明し、同様の点については説明を省略する。特に説明しない点については、第１実施形態についての説明が適宜適用される。第１実施形態と同様の構成要素には、同一の符号を付す。
【００４２】
第２実施形態のパッドホルダー１Ａにおける前身頃２側の伸長抑制部（前身頃伸長抑制部）２３，２４は、図７に示すように、前身頃下半部２Ｄの幅方向中央側から前身頃上半部２Ｕの側部に亘って延びており、その幅が、下端から上端に向かって漸次増大している。
前身頃伸長抑制部２３，２４は、図７に示すように、着用時に着用者の上前腸骨棘の上方に位置する部分２３ｃ，２４ｃと該上前腸骨棘８，８を覆う部分２３ｄ，２４ｄとを有している。上方に位置する部分２３ｃ，２４ｃと該上前腸骨棘８，８を覆う部分２３ｄ，２４ｄとを有することで、前身頃伸長抑制部２３，２４が、上前腸骨棘８，８に引っ掛かり、しかも、伸長が抑制された伸長抑制部２３，２４が、伸縮性シートからなる高伸長性部分の伸長に抗して、股下部４の下方への移動を抑制するため、第１実施形態と同様の作用効果が奏し得られる。
また、前身頃伸長抑制部２３，２４の幅が、下端から上端に向かって漸次増大しているため、上前腸骨棘８，８の良好な被覆性と股下の違和感低減との両立が容易である。
【００４３】
前身頃伸長抑制部２３，２４は、上前腸骨棘８，８より３ｃｍ上方の位置（直線Ｌ８の位置）より下方に位置し得るように形成されており且つそけい部の位置１０より上方に位置し得るように形成されている。このように、伸長抑制部２３，２４を必要最低限の部位に設けることで、上前腸骨棘８，８の被覆性と、上前腸骨棘８，８の良好な被覆性と股下の違和感低減との両立が容易である。
【００４４】
第２実施形態のパッドホルダー１Ａの後身頃３における後身頃伸長抑制部（臀部伸長抑制部）３５，３６は、図８に示すように、骨盤の凹部と臀筋群の重なり部の窪み９に沿うことが可能に配された上縁３５ａ，３６ａと臀溝に沿うことが可能に配された下縁３５ｂ，３６ｂを有している。斯かる臀部伸長抑制部３５，３６で臀部を覆うことが可能となることにより、吸収性パッドの臀部への密着性を高め、防漏性を高めることができる。また、臀部伸長抑制部３５，３６が、臀部の膨らみに引っ掛かることが可能となるので、ずり落ち防止性が向上する。
【００４５】
本発明のパッドホルダーは、着用者の胴回りに配される部分全周に伸縮性シート同士の継目がないことが好ましい。継目をなくすことで、肌への刺激を低減でき、また、伸長抑制部が上前腸骨棘を囲み得るように連続するために、局所的な力が加わることによる伸長抑制部の形状のゆがみが防止され、確実に伸長抑制部を上前腸骨棘に引っ掛けることができる。
【００４６】
本発明のパッドホルダーは、第１実施形態のパッドホルダーのように、平面状の自然状態において、後身頃の股上長Ｌ３が前身頃の股上長Ｌ２よりも長いことが好ましく、その差（Ｌ３−Ｌ２）は２〜８ｃｍであることが好ましい。高齢者は、腰が曲がった体型の人が多く、また座位姿勢の時間が長いという特徴がある。こうした体型、姿勢では着用者の背側のずり落ちが大きくなり易いが、後身頃の股上長Ｌ３を前身頃の股上長Ｌ２より長くすることで、このような背側のずり落ちを効果的に抑制することができる。
【００４７】
また、本発明のパッドホルダーは、１００ｃｍ周長時の幅方向伸縮応力が５〜４０Ｎ、特に１０〜３０Ｎであることが好ましく、７５０ｇ荷重時のパッドホルダー縦方向の伸度が１７５〜５００％、特に２００〜３００％であることが好ましい。１００ｃｍ周長とは、着用者が履き上げ時にウエストを拡げるおよその値を表し、７５０ｇ荷重とは、着用者が履き上げ時にウエストを引っ張るときのおおよそのモデル値を表している。
前記幅方向伸縮応力を上記範囲としてパッドホルダーを比較的低い応力で開くようにし、また、前記伸度を上記範囲として適度な縦伸が発現するようにすることで、容易な引き上げ性を達成することができる。但し、これだけではずり落ち性の悪化は避けられないが、本発明のように伸長抑制部を設けることで、引き上げ性とずり落ち防止性との両立を図ることができる。
【００４８】
〔１００ｃｍ周長時の幅方向伸縮応力の測定方法〕
測定対象のパッドホルダーを、一対のＵ字状の治具間に架け渡すようにして、引張試験機（例えば、オリエンテック社製の「ＲＴＡ−１００」等）のチャック間に固定する。初期状態では、パッドホルダーが自然状態（外力が加わらない状態）になるように設定する。そして、チャック間に固定したパッドホルダーを、３００ｍｍ／ｍｉｎで伸長させ、パッドホルダーのウエスト左右両脇間距離が５０ｃｍになった時の応力を「１００ｃｍ周長時の幅方向伸縮応力」とする。
【００４９】
〔７５０ｇ荷重時の縦方向の伸度の測定方法〕
測定対象のパッドホルダーから、自然状態において、その縦方向（Ｙ方向）に１００ｍｍ、幅方向（Ｘ方向）に５０ｍｍの寸法の長方形形状を切り出し、この切り出された長方形形状を測定用サンプルとする。
この測定サンプルを、その長手方向（Ｙ方向相当）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／ｍｉｎで引っ張り、７５０ｇ（７．４Ｎ）荷重を示したところで停止させる。その際のチャック間距離を測定し、次式より「７５０ｇ荷重時の縦方向の伸度」を算出する。
伸度（％）＝｛（伸長時のチャック間距離（ｍｍ）／初期チャック間距離５０ｍｍ｝×１００
【００５０】
以上、本発明をその好ましい実施形態に基づき説明したが、本発明は実施形態に制限されない。
例えば、前身頃伸長抑制部２１，２２は、全長に亘って円弧状のものに代えて、直線部と円弧状部とを有するものや、角度をなして連接された２本又は３本以上の直線部からなるもの等を設けることもできる。
また、パッドホルダーは、ボクサーブリーフ型のものに代えて、図９に示すように、ハイレグタイプのものであっても良い。ただし、本発明は、引上げ時に製品股部近傍が大腿部に引っ掛かり十分引き上げられないという不具合を防止するという観点から、一対のレッグ開口部６，６の開口周縁部が、折曲線１ｂよりも下方に位置するボクサーブリーフ型のパッドホルダーにおいて特に優れた効果を発現する。
【００５１】
また、パッドホルダー１の前身頃伸長抑制部２１，２２は、折曲線１ａ，１ａ及び／又は折曲線１ｂに達しないものであっても良く、後身頃第１伸長抑制部３１，３２及び後身頃中間伸長抑制部３３，３４は、何れか一方又は両方を省略することもできる。
また、前身頃伸長抑制部２１（２２）がその一部で分断されて高伸長性部分を一部に含んでいる場合、たとえば伸長抑制部と高伸長性部分が交互に配される形態であってもよい。
【００５２】
上述した一の実施形態における説明省略部分及び一の実施形態のみが有する要件は、それぞれ他の実施形態に適宜適用することができ、また、各実施形態における要件は、適宜、実施形態間で相互に置換可能である。
【符号の説明】
【００５３】
１，１Ａ  パッドホルダー
２  前身頃
２１〜２４  前身頃伸長抑制部
２Ｕ  前身頃上半部
２Ｄ  前身頃下半部
Ｌ２  前身頃の股上長
３  後身頃
３１，３２  後身頃第１伸長抑制部（後身頃伸長抑制部）
３３，３４  後身頃中間伸長抑制部（後身頃伸長抑制部）
３５，３６  臀部伸長抑制部（後身頃伸長抑制部）
Ｌ３  後身頃の股上長
４  股下部
５  ウエスト開口部
５１  ウエスト開口弾性部
６  レッグ開口部
６１  レッグ開口弾性部
７  吸収性パッド
８  上前腸骨棘
９  骨盤の凹部と臀筋群の重なり部にできる窪み
【図１】
0005513966.tif 000002
【図２】
0005513966.tif 000003
【図３】
0005513966.tif 000004
【図４】
0005513966.tif 000005
【図５】
0005513966.tif 000006
【図６】
0005513966.tif 000007
【図７】
0005513966.tif 000008
【図８】
0005513966.tif 000009
【図９】
0005513966.tif 000010